(57)【要約】【課題】簡単に縮小して再封緘でき、内容物の取り出しも容易な段ボール製のラップラウンド箱を提供する。【解決手段】前面板１の上端に繋がる外フラップ６の両側部に内フラップ５との貼合部より内側の端縁から端切線７を入れ、前面板１と各側面板２の稜部に端切線７に連続する側切線８を入れ、また、前面板１に両側切線８を繋ぐ前折線９を入れ、側面板２に側切線８から後面板３との境界の一点へ集まる複数本の側中折線１０と、後面板３側の上角から側中折線１０に至る側角折線１１とを入れ、後面板３に側中折線１０の集合点を繋ぐ後折線１２を入れた構成とし、端切線７及び側切線８を切断し、前面板１を前折線９沿いに開いた開封状態から再封緘するには、側面板２を側角折線１１沿いに撓ませて、側中折線１０沿いに折り込みつつ、後面板３を後折線１２沿いに前方へ折り曲げるようにする。【選択図】図４
2006036258.tif 000002
【特許請求の範囲】
【請求項１】
前面板１、一対の側面板２及び後面板３を連設して商品を包み込み、側面板２から延びる内フラップ５に、前面板１及び後面板３から延びる外フラップ６を貼り合わせて封緘する段ボール製ラップラウンド箱において、前面板１の上端に繋がる外フラップ６の両側部に内フラップ５との貼合部より内側の端縁から端切線７を入れ、前面板１と各側面板２の稜部に端切線７に連続する側切線８を入れ、また、前面板１に両側切線８を繋ぐ前折線９を入れ、側面板２に側切線８から後面板３との境界の一点へ集まる複数本の側中折線１０と、後面板３側の上角から側中折線１０に至る側角折線１１とを入れ、後面板３に側中折線１０の集合点を繋ぐ後折線１２を入れた構成とし、端切線７及び側切線８を切断し、前面板１を前折線９沿いに開いた開封状態から、側面板２を側角折線１１沿いに撓ませて、側中折線１０沿いに折り込みつつ、後面板３を後折線１２沿いに前方へ折り曲げることにより、縮小して再封緘できるようにしたことを特徴とするラップラウンド箱。
【発明の詳細な説明】
【技術分野】
【０００１】
この発明は、飲料缶等の包装に使用する段ボール製ラップラウンド箱に関する。
【背景技術】
【０００２】
従来、図７に示すように、前面板５０、一対の側面板５１及び後面板５２を連設して周壁を形成し、底端板５３及び蓋端板５４で端面を閉止して封緘する板紙製の菓子箱において、前面板５０の蓋端板５４側を切り取って開封した状態から、側面板５１を側切線５５沿いに切断し、後面板５２を後折線５６沿いに折り曲げることにより、縮小して再封緘できるようにしたものが知られている（特許文献１参照）。
【特許文献１】実公昭５４−５０５号公報
【発明の開示】
【発明が解決しようとする課題】
【０００３】
ところで、ビール等の飲料缶を包装する段ボール製ラップラウンド箱においても、開封後に残存した缶を保存しておく際、箱内への塵埃の侵入を防止すると共に、嵩張らないようにするため、縮小して再封緘できるようにしたいという要請がある。
【０００４】
その実現手段として、上記のような構成をラップラウンド箱に適用することも考えられるが、この構成では、側面板５１を側切線５５に沿って切断するのが難しく、また、開口部からの缶の取り出しも容易でないという問題がある。
【０００５】
そこで、この発明は、簡単に縮小して再封緘でき、内容物の取り出しも容易な段ボール製のラップラウンド箱を提供することを課題とする。
【課題を解決するための手段】
【０００６】
上記課題を解決するため、この発明では、前面板、一対の側面板及び後面板を連設して商品を包み込み、側面板から延びる内フラップに、前面板及び後面板から延びる外フラップを貼り合わせて封緘する段ボール製ラップラウンド箱において、前面板の上端に繋がる外フラップの両側部に内フラップとの貼合部より内側の端縁から端切線を入れ、前面板と各側面板の稜部に端切線に連続する側切線を入れ、また、前面板に両側切線を繋ぐ前折線を入れ、側面板に側切線から後面板との境界の一点へ集まる複数本の側中折線と、後面板側の上角から側中折線に至る側角折線とを入れ、後面板に側中折線の集合点を繋ぐ後折線を入れた構成とし、端切線及び側切線を切断し、前面板を前折線沿いに開いた開封状態から、側面板を側角折線沿いに撓ませて、側中折線沿いに折り込みつつ、後面板を後折線沿いに前方へ折り曲げることにより、縮小して再封緘できるようにしたのである。
【発明の効果】
【０００７】
このラップラウンド箱では、再封緘に際し、側面板を切断することなく、側角折線沿いに撓ませて、側中折線沿いに折り込むので、簡単に縮小して再封緘でき、また、開封した状態では、外フラップから前面板へかけて開口するので、隙間なく詰められた内容物を容易に取り出すことができる。
【発明を実施するための最良の形態】
【０００８】
以下、この発明の実施形態を添付図面に基づいて説明する。
【０００９】
このラップラウンド箱は、段ボールを材料として、図１に示すようなブランクから形成される。このブランクでは、前面板１の一側に側面板２、後面板３、側面板２及び継代４が順次連設され、側面板２の上下に内フラップ５が、前面板１及び後面板３の上下に外フラップ６がそれぞれ連設されている。
【００１０】
前面板１の上端に繋がる外フラップ６の両側部には、先端縁から基端角へかけて端切線７が入れられ、前面板１とこれに隣接する側面板２の稜部及び他方の側面板２と継代４の稜部には、上端から中間部まで側切線８が入れられている。端切線７及び側切線８は、鉤形の切目が断続するジッパとされている。
【００１１】
また、前面板１には、両側間に亘る２本の前折線９が上下に間隔をおいて入れられ、各側面板２には、側切線８から後面板３との境界の一点へ集まる複数本の側中折線１０と、後面板３側の上角から側中折線１０に至る側角折線１１とが入れられている。また、後面板３には、側中折線１０の集合点を繋ぐ後折線１２が入れられている。
【００１２】
さらに、前面板１の上端に繋がる外フラップ６には、先端中央部に弧状の切込を入れて指掛部１３が形成され、各側面板２の中央部には、Ｈ状の切目を入れて、カットテープによる開封用の切始部１４が設けられている。
【００１３】
このようなブランクを組み立てて飲料缶を包装する際には、図２に示すように、前面板１、一対の側面板２及び後面板３を角筒状に折り曲げ、継代４を前面板１に貼り付けて周壁を形成し、内フラップ５及び外フラップ６を順次折り曲げて貼り合わせる。このとき、前面板１の上端に繋がる外フラップ６は、端切線７の外側で内フラップ５に貼着する。
【００１４】
一方、上記のように包装したラップラウンド箱を開封するには、前面板１の上端に繋がる外フラップ６を、指掛部１３に指を掛けて引っ張り、図３に示すように、端切線７を切断し、側切線８を途中まで切断して、前面板１を上方の前折線９沿いに手前に開く。このように開封すると、隙間なく詰められた缶Ｃを容易に取り出すことができる。
【００１５】
また、残存した缶Ｃを保存しておくには、図４に示すように、上記開封状態から側面板２を側角折線１１沿いに撓ませて、側中折線１０沿いに折り込みつつ、後面板３を後折線１２沿いに前方へ折り曲げ、図５に示すように、後面板３に繋がる外フラップ６が折り返した前面板１に被さるようにする。
【００１６】
このように再封緘すると、箱の高さがかなり低くなるので、嵩張ることなく戸棚等に収納でき、箱内への塵埃の侵入が防止されるので、缶Ｃを衛生的に保管しておくことができる。この際、側面板２を切断することなく、側角折線１１沿いに撓ませて、側中折線１０沿いに折り込むので、作業に手間取ることがない。
【００１７】
その後、残存した缶Ｃを取り出す際には、図６に示すように、後面板３の折り曲げを伸ばして、開封状態に戻し、側切線８を全て切断して、前面板１を下方の前折線９沿いに手前に開く。これにより、前面板１が大きく開口するので、箱の下部に詰められた缶Ｃを容易に取り出すことができる。
【図面の簡単な説明】
【００１８】
【図１】この発明の実施形態に係るラップラウンド箱のブランクを示す図
【図２】同上の包装状態を示す斜視図
【図３】同上の第一段階の開封状態を示す斜視図
【図４】同上の再封緘過程を示す斜視図
【図５】同上の再封緘状態を示す斜視図
【図６】同上の第二段階の開封状態を示す斜視図
【図７】従来の縮小再封緘箱を示す斜視図
【符号の説明】
【００１９】
１  前面板
２  側面板
３  後面板
４  継代
５  内フラップ
６  外フラップ
７  端切線
８  側切線
９  前折線
１０  側中折線
１１  側角折線
１２  後折線
１３  指掛部
１４  切始部
【図１】
2006036258.tif 000003
【図２】
2006036258.tif 000004
【図３】
2006036258.tif 000005
【図４】
2006036258.tif 000006
【図５】
2006036258.tif 000007
【図６】
2006036258.tif 000008
【図７】
2006036258.tif 000009